(57)【要約】【課題】消費電力が少なく、光源の切れることが著しく逓減されたため、交換などの維持費をかけることなく長期間にわたって使用が可能であり、比較的少ない街路灯の設置によって効率良く楕円形状の広範囲に照明することができ、経費を著しく逓減することが可能で、実用性に富んだ白色発光ダイオード屋外照明器具を提供する。【解決手段】複数の白色発光ダイオード３，…が取り付けられた複数の平面プリント基板４，…が、白色発光ダイオード３，…が下面側に指向するように、しかも多方向に指向するように多角形状に配装されている。【選択図】  図３
2004200102.tif 000002
【特許請求の範囲】
【請求項１】
複数個の白色発光ダイオードを配列して構成する白色発光ダイオード照明器具において、複数の白色発光ダイオードが取り付けられた複数の平面プリント基板が、白色発光ダイオードが下面側に指向するように、しかも多方向に指向するように多角形状に配装されていることを特徴とする白色発光ダイオード照明器具。
【請求項２】
前記白色発光ダイオードは、直下方向およびその近傍の方向に指向する白色発光ダイオードには広照射角特性を有するものが使用されており、遠方方向に指向する白色発光ダイオードには狭照射角特性を有するものが使用されていることを特徴とする請求項１記載の白色発光ダイオード照明器具。
【請求項３】
広照射角特性を有する白色発光ダイオードとして照射角度が約５０°のものが使用され、狭照射角特性を有する白色発光ダイオードとして照射角度が約２０°のものが使用されていることを特徴とする請求項２記載の白色発光ダイオード照明器具。
【請求項４】
前記白色発光ダイオードは、各平面プリント基板に、白色発光ダイオードの２本のリード線の取付方向が水平方向（多角形状の軸方向）となるように配列されて、前記取付方向と直交する方向への曲げを可能にしたことを特徴とする請求項１記載の白色発光ダイオード照明器具。
【発明の詳細な説明】
【０００１】
【発明の属する技術分野】
本発明は、街路灯などとして使用される白色発光ダイオード屋外照明器具に関するものである。
【０００２】
【従来の技術】
従来より、道路や公園などの屋外の広い範囲の照明には、白熱灯、蛍光灯や水銀灯などの街路灯が使用されてきたが、消費電力が大きく、しかも切れることが多く、電球交換などの維持費が高くつくところから、最近では、光源に発光ダイオードを使用する試みがなされている。しかし、発光ダイオードは赤、緑、橙、青など有色のものが最初に開発されて信号器などには使用されるようになってきたが、白色発光ダイオードは１９９８年に商品開発されて以降、狭い照明範囲のスポットライトとして実用化されてきた程度で、白色発光ダイオードを光源とした広い範囲を照明する照明器具はほとんど実用化されていないのが現状である。
【０００３】
白色発光ダイオードを使用した街路灯についての特許文献としては、例えば、特許文献１が提案されてはいるが、白色発光ダイオードは単に平面的に配列されているため、照明方向の限定された狭い円形状の範囲だけが照明されるにすぎないので、多数の街路灯の設置が必要となり、経費が高くつき、実用性の乏しいものであった。
【０００４】
【特許文献１】
特開２００２−２１５６１０号公報
【０００５】
【発明が解決しようとする課題】
本発明は、かかる現状に鑑みてなされたもので、消費電力が少なく、切れることが著しく逓減されたため、交換などの維持費をかけることなく長期間にわたって使用が可能であり、比較的少ない街路灯の設置によって効率良く楕円形状の広範囲に照明することができ、維持経費を著しく逓減することが可能で、実用性に富んだ白色発光ダイオード屋外照明器具を提供することを目的とするものである。
【０００６】
【課題を解決するための手段】
本発明は、前記課題の解決を図ったもので、請求項１記載の発明は、複数個の白色発光ダイオードを配列して構成する白色発光ダイオード照明器具において、複数の白色発光ダイオードが取り付けられた複数の平面プリント基板が、白色発光ダイオードが下面側に指向するように、しかも多方向に指向するように多角形状に配列されていることを特徴とする白色発光ダイオード照明器具である。
【０００７】
請求項２記載の発明は前記白色発光ダイオードは、直下方向およびその近傍の方向に指向する白色発光ダイオードには広照射角特性を有するものが使用されており、遠方方向に指向する白色発光ダイオードには狭照射角特性を有するものが使用されていることを特徴とする請求項１記載の白色発光ダイオード照明器具である。
【０００８】
請求項３記載の発明は、広照射角特性を有する白色発光ダイオードとして照射角度が約５０°のものが使用され、狭照射角特性を有する白色発光ダイオードとして照射角度が約２０°のものが使用されていることを特徴とする請求項２記載の白色発光ダイオード照明器具である。
【０００９】
請求項４記載の発明は、前記白色発光ダイオードは、各平面プリント基板に、白色発光ダイオードのアノード及びカソード２本のリード線の取付方向が水平方向（多角形状の軸方向）となるように配列されて、前記取付方向と直交する方向への曲げを可能にし、直射配光制御の微調整を可能としたことを特徴とする請求項１記載の白色発光ダイオード照明器具である。
【００１０】
【発明の実施の形態】
以下、本発明をその実施例を図示した図面に基づいて詳細に説明する。
【００１１】
図１において、１は本発明の白色発光ダイオード照明器具であって、ポール２の屈曲した先端部２′の下面側に装着されて使用されている。先端部２′の屈曲角度は使用目的に応じて所望の角度に変化させることができる。本発明の白色発光ダイオード照明器具１は、ポール２に限らず、各種の支柱、支持部材などの支持体に装着されるものである。
【００１２】
本発明の白色発光ダイオード照明器具１は、図２〜４に示すように、複数個の白色発光ダイオード３，…と複数の平面プリント基板４，…とから主として構成されている。さらに詳細には、図２〜４において、白色発光ダイオード照明器具１の本体部５がポール２に直接又は間接的に取付金具等によって装着されており、本体部５には複数の平面プリント基板４，…が取付金具、ビス等で固定され、その上にそれぞれ複数個の白色発光ダイオード３，…が取着されて、カバー６で被覆されている。カバー６は雨水の侵入防止をするもので、ゴムのパッキン等でカバー６の取付部からの雨水の侵入を防止している。
【００１３】
複数の平面プリント基板４，…は、図３では５枚で形成されており、取付金具に装着されている。複数の平面プリント基板４，…の中央部は、地面と平行に水平状となっており、その両側の平面プリント基板４，４は左右対称にそれぞれ左右方向に指向するように配装されており、さらに最外側の平面プリント基板４，４は左右対称にそれぞれさらに急角度で左右方向に指向するように配装されている。したがって、複数の平面プリント基板４，…は、全体として左右対称の多角形状（多角形の一部）をなしており、それぞれ左右に向かうにつれて角度が徐々に増加するようになされている。増加する角度は等角度であって良いが、最外部の角度はわずかの増加量とすることもできるし、最外部に向かうにつれて増加量を減少させるようにすることも可能である。
【００１４】
複数個の白色発光ダイオード３，…は、上記のように角度を異にする複数の平面プリント基板４，…に取付られるので、複数の平面プリント基板４，…の中央部に取り付けられた白色発光ダイオード３，…は直下方向の所定範囲を照明する一方、中央部の両側の平面プリント基板４，４に取り付けられた白色発光ダイオード３，…はその左右両側の所定範囲を照明し、さらに最外側に取り付けられた白色発光ダイオード３，…はさらに左右両側の所定範囲を照明することができる。なお、上記の各照明範囲は一部重複するように狭い角度に設定することも可能である。
【００１５】
このようにして、図５に示すように左右対称の略楕円形状の広い範囲の地面を照明することができる。前後方向が例えば４０°に対して左右方向が１４０°というように左右方向の照明角度を前後方向の照明角度よりも３〜４倍とすることができる。自動車道に付随する歩道や公園内の歩道などは、道路に沿った照明が必要であるので、このような略楕円形状の範囲の照明が効率的である。
【００１６】
上記の説明では、白色発光ダイオード３，…自体の照明角度を変化させることについては述べず、同一の照明角度のものを使用することとして説明したが、白色発光ダイオード３，…には照明角度が広角度の広角特性を有するものと、照明角度が狭角度の狭角特性を有するものとがあるので、この両者を有効に組み合わせて使用目的に応じて最善の照明を行うことが望ましい。
図６に示すように、中央部およびその左右に取り付けられた白色発光ダイオード３，…には、５０°の広角特性を有する白色発光ダイオード３，…を使用し、最外部に取り付けられた白色発光ダイオード３，…には、２０°の狭角特性を有する白色発光ダイオード３，…を使用することが望ましい。図７には、この場合の各白色発光ダイオード３，…の照明範囲を示しており、最外部に取り付けられた白色発光ダイオード３，…の照明範囲が過度に増大することなく、できる限り均一化するようになされている。図８には、この場合の照度分布断面図を示しており、最外部の照度をできる限り少なくならない程度に抑制するようになされていることが示されている。
【００１７】
さらに、カバー６には、集光性または拡散性の凹凸面を形成することにより、使用目的に応じて配光曲線あるいは照度分布の異なる照明を得ることが可能である。また、図９に示すように、前記白色発光ダイオードは、各平面プリント基板に、白色発光ダイオードのアノード及びカソード２本のリード線の取付方向が水平方向（多角形状の軸方向）となるように配列することにより、前記取付方向と直交する方向への曲げを可能にすることができる。
【００１８】
本発明の白色発光ダイオード照明器具１は、通常の１００Ｖの電源で使用できるが、太陽電池と併用することにより、太陽電池から得られた昼間のＤＣ１２Ｖ出力を蓄電器に蓄え、インバータを用いて１００Ｖに変換することなく、そのままＤＣ１２Ｖ出力として使用することができるので、簡易で安価に長期間の照明が可能となる。太陽電池と併用して多く使用されている蛍光灯に比べて約８倍の長寿命であり、しかも約４分の１の消費電力で済むなどの優れた作用効果を奏することが可能である。
【００１９】
【発明の効果】
以上の説明から理解できるように、本発明によれば、放電灯安定器類を不要とするため消費電力が少なく、光源の切れることが著しく逓減されたため、交換などの維持費をかけることなく長期間にわたって使用が可能であり、比較的少ない街路灯の設置によって効率良く楕円形状の広範囲に照明することができ、経費を著しく逓減することが可能で、実用性に富んだ白色発光ダイオード屋外照明器具を提供することができる。
【図面の簡単な説明】
【図１】本発明の白色発光ダイオード屋外照明器具を使用した街路灯の側面図である。
【図２】本発明の白色発光ダイオード屋外照明器具のカバーを切欠して示した底面図である。
【図３】図２の白色発光ダイオード屋外照明器具の一部を切欠して示した側面図である。
【図４】図２の白色発光ダイオード屋外照明器具の一部を切欠して示した斜面図である。
【図５】本発明の白色発光ダイオード屋外照明器具で照明した際の配光曲線である。
【図６】白色発光ダイオードの配列の一例を示す側面図である。
【図７】図６の状態における白色発光ダイオードの照明角度を示す側面図である。
【図８】図６の状態における照度分布断面図である。
【図９】本発明の白色発光ダイオードを取り付けるさいアノード及びカソードのリード線の取付方向を示す配置図である。
【符号の説明】
１  白色発光ダイオード照明器具荷台部
２  ポール
３，…    白色発光ダイオード
４，…    平面プリント基板
５  本体部
６  カバー
【図１】
2004200102.tif 000003
【図２】
2004200102.tif 000004
【図３】
2004200102.tif 000005
【図４】
2004200102.tif 000006
【図５】
2004200102.tif 000007
【図６】
2004200102.tif 000008
【図７】
2004200102.tif 000009
【図８】
2004200102.tif 000010
【図９】
2004200102.tif 000011